(57)【特許請求の範囲】
【請求項１】
第１木軸材と第２木軸材とが所定の傾斜角度を有して結合される軸組構造において、両木軸材同士の結合を抜け止め補強する木軸自在結合金物を用いた結合構造であって、
前記第１木軸材のボルト固定面（４１）に固定され、該ボルト固定面（４１）と平行な軸線のボルト挿通筒部（６１）を有した引き寄せ金物（２３）と、
軸部（２５）の端に頭部（２７）を有し該頭部（２７）の反対側に雄ネジ部（２９）を有するボルト（３１）と前記雄ネジ部（２９）に螺合するナット（３３）とを有し、前記引き寄せ金物（２３）のボルト挿通筒部（６１）に前記ボルト（３１）が貫通し、一端側の前記ナット（３３）又は頭部が前記ボルト挿通筒部（６１）に当接して抜け止め支持されるボルト部材（１３）と、
前記第１木軸材の前記ボルト固定面（４１）に連続する前記第２木軸材の羽根座金固定面（４３）に固定され、前記ボルト部材（１３）の他端側の前記頭部（２７）又はナットを支持する羽根座金（１５）と、
を具備し、
前記羽根座金（１５）は、前記羽根座金固定面（４３）から異なる高さとなって形成される一対の嵩上げ片（５３，５５）と、一対の嵩上げ片（５３，５５）の嵩上げ方向先端同士を一体に接続し前記羽根座金固定面（４３）に対して斜めとなる連結板部（１７）と、連結板部（１７）に穿設され、前記軸部（２５）の外径よりも若干大きな内径とされて、該軸部（２５）が貫通するボルト貫通穴（１９）と、連結板部（１７）の裏面に形成され、一対の嵩上げ片（５３，５５）間の空間部（５１）側に膨らむ湾曲面よりなり、ボルト貫通穴（１９）を貫通した前記ボルト部材（１３）の他端側の前記頭部（２７）又はナットの座面対向面（５７）が当接する座面となる湾曲凸面（２１）と、を一体的に具備し、
前記ボルト部材（１３）を前記ボルト貫通穴（１９）にて揺動自在とするとともに、前記第１木軸材と第２木軸材との結合角度に合わせて、前記ボルト部材（１３）の頭部（２７）又はナットの座面対向面（５７）を前記羽根座金固定面（４３）に対して傾斜させ、該ボルト部材（１３）の軸線を前記ボルト固定面（４１）と平行に沿わせて、前記ナット（３３）の締め付けにて前記第１木軸材と第２木軸材との結合の補強を行うことを特徴とする木軸自在結合金物を用いた結合構造。
【請求項２】
第１木軸材と第２木軸材とが所定の角度を有して結合される軸組構造において、両木軸材同士の結合を抜け止め補強する木軸自在結合金物を用いた結合構造であって、
前記第１木軸材のボルト固定面（４１）と平行な軸線となる軸部（２５）の一端側に前記ボルト固定面（４１）に固定される取付板部（７１）を有し、前記軸部（２５）の他端側に雄ネジ部（２９）を有する羽子板ボルト（６９）と、前記雄ネジ部（２９）に螺着するナット（３３）とを備えるボルト部材（６７）と、
前記第１木軸材の前記ボルト固定面（４１）に連続する前記第２木軸材の羽根座金固定面（４３）に固定される羽根座金（１５）と、
を具備し、
前記羽根座金（１５）は、前記羽根座金固定面（４３）から異なる高さとなって形成される一対の嵩上げ片（５３，５５）と、一対の嵩上げ片（５３，５５）の嵩上げ方向先端同士を一体に接続し前記羽根座金固定面（４３）に対して斜めとなる連結板部（１７）と、連結板部（１７）に穿設され前記軸部（２５）が貫通するボルト貫通穴（１９）と、連結板部（１７）の裏面に形成され、一対の嵩上げ片（５３，５５）間の空間部（５１）側に膨らむ湾曲面よりなり、ボルト貫通穴（１９）を貫通した前記ボルト部材（６７）の他端側の前記ナット（３３）の座面対向面が当接する座面となる湾曲凸面（２１）と、を一体的に具備し、
前記ボルト部材（６７）の軸部（２５）を前記ボルト貫通穴（１９）に挿入させるとともに、前記第１木軸材と第２木軸材との結合角度に合わせて、前記ボルト部材（６７）のナット（３３）の座面対向面を前記羽根座金固定面（４３）に対して傾斜させて、該ボルト部材（６７）の軸線を前記ボルト固定面（４１）と平行に沿わせて、前記ナット（３３）の締め付けにて前記第１木軸材と第２木軸材との結合の補強を行うことを特徴とする木軸自在結合金物を用いた結合構造。
【請求項３】
請求項１又は２に係る結合構造に用いる木軸自在結合金物の羽根座金において、
高さの異なる一対の嵩上げ片（５３，５５）と、前記一対の嵩上げ片（５３，５５）のそれぞれの基端部に外方向に折曲げ状に形成される穴を有するベース部（４５，４５）と、前記一対の嵩上げ片（５３，５５）の嵩上げ方向先端同士を一体に接続する連結板部（１７）と、前記連結板部（１７）に穿設される貫通穴（１９）と、前記連結板部（１７）の裏面に形成され、前記一対の嵩上げ片（５３，５５）間の空間部（５１）側に膨らむ湾曲面よりなる湾曲凸面（２１）と、を一体に具備することを特徴とする木軸自在結合金物の羽根座金。
【発明の詳細な説明】
【技術分野】
【０００１】
本発明は、梁と梁等の結合部分に補強として用いられる木軸自在結合金物を用いた結合構造に関する。
【背景技術】
【０００２】
木造建物の軸組構造において、仕口は、特許文献１，２に開示される羽子板ボルトやホールダウン金物、特許文献３，４に開示される引き寄せ金物等によって結合が補強される場合がある。羽子板ボルトは、円棒の先に短冊形の金物のついたボルトである。引き寄せ金物は、木軸材に固定される筒状部を有し、筒状部に挿通したボルトの雄ネジ部に螺合するナットを締め付けることで、ボルトを引き寄せて固定を行う。これら、羽子板ボルトや引き寄せ金物を用いることによって、梁同士、梁と桁、土台同士、土台と柱などの結合部における補強がなされている。
【先行技術文献】
【特許文献】
【０００３】
【特許文献１】実開平７−１６８０７号公報
【特許文献２】実願平６−８４５６号公報
【特許文献３】特開２０００−３３６７６７号公報
【特許文献４】特開２０１０−２８１１０２号公報
【発明の概要】
【発明が解決しようとする課題】
【０００４】
しかしながら、一般的な羽子板ボルトは、直角に取り付いた梁同士の接合にしか使えない。例えば図９（ａ）に示すように、羽子板ボルト５０１は、斜め梁（火打ち梁）５０３と梁５０５との結合部に用いる場合、梁５０５に斜めの穴５０７を設けることで付けられなくないが、梁５０５の断面欠損が大きくて実用的でない。また、一般的な羽子板ボルトは、登り梁と桁との接合部には付けることができない。この場合、図９（ｂ）に示すように、登り梁５０９と結合される桁５１１に、斜めの穴５０７を設ければ付けられなくはないが、上記同様に桁５１１の断面欠損が大きくて実用的ではない。また、従来の羽子板ボルト５０１等の木軸材の結合金物は、火打ち梁５０３や登り梁５０９の結合部に用いた場合、梁５０５や桁５１１に斜めの穴５０７を空ける等、火打ち梁５０３や登り梁５０９の傾斜角度に合わせた凹部５１３や貫通穴５１５などの大きな加工を施すこととなり、作業も煩雑となる。また、現場作業において、補強の位置変更や角度変更があった場合に、その都度、加工を施さなければならないため、容易に対処できない問題がある。
【０００５】
本発明は上記状況に鑑みてなされたもので、その目的は、直角以外の角度で結合される梁などの木軸材同士であっても、断面欠損を生じさせずに、容易な取り付けで、所望の角度の結合を補強できる木軸自在結合金物を用いた結合構造を提供することにある。
【課題を解決するための手段】
【０００６】
次に、上記の課題を解決するための手段を、実施の形態に対応する図面を参照して説明する。
本発明の請求項１記載の木軸自在結合金物１１を用いた結合構造は、図１及び図２の実施形態に示されるように、
第１木軸材と第２木軸材とが所定の傾斜角度を有して結合される軸組構造において、両木軸材同士の結合を抜け止め補強する木軸自在結合金物を用いた結合構造であって、
前記第１木軸材のボルト固定面４１に固定され、該ボルト固定面４１と平行な軸線のボルト挿通筒部６１を有した引き寄せ金物２３と、
軸部２５の端に頭部２７を有し該頭部２７の反対側に雄ネジ部２９を有するボルト３１と前記雄ネジ部２９に螺合するナット３３とを有し、前記引き寄せ金物２３のボルト挿通筒部６１に前記ボルト３１が貫通し、一端側の前記ナット３３又は頭部が前記ボルト挿通筒部６１に当接して抜け止め支持されるボルト部材１３と、
前記第１木軸材の前記ボルト固定面４１に連続する前記第２木軸材の羽根座金固定面４３に固定され、前記ボルト部材１３の他端側の前記頭部２７又はナットを支持する羽根座金１５と、
を具備し、
前記羽根座金１５は、前記羽根座金固定面４３から異なる高さとなって形成される一対の嵩上げ片５３，５５と、一対の嵩上げ片５３，５５の嵩上げ方向先端同士を一体に接続し前記羽根座金固定面４３に対して斜めとなる連結板部１７と、連結板部１７に穿設され、前記軸部２５の外径よりも若干大きな内径とされて、該軸部２５が貫通するボルト貫通穴１９と、連結板部１７の裏面に形成され、一対の嵩上げ片５３，５５間の空間部５１側に膨らむ湾曲面よりなり、ボルト貫通穴１９を貫通した前記ボルト部材１３の他端側の前記頭部２７又はナットの座面対向面５７が当接する座面となる湾曲凸面２１と、を一体的に具備し、
前記ボルト部材１３を前記ボルト貫通穴１９にて揺動自在とするとともに、前記第１木軸材と第２木軸材との結合角度に合わせて、前記ボルト部材１３の頭部２７又はナットの座面対向面５７を前記羽根座金固定面４３に対して傾斜させ、該ボルト部材１３の軸線を前記ボルト固定面４１と平行に沿わせて、前記ナット（３３）の締め付けにて前記第１木軸材と第２木軸材との結合の補強を行うことを特徴とする木軸自在結合金物を用いた結合構造にある。
【０００７】
この木軸自在結合金物１１を用いた結合構造では、斜めの木軸材が結合される相手側の木軸材の断面欠損が生じない。第１木軸材が斜め梁（火打ち梁）３７である場合、例えば火打ち梁３７は直角に結合される梁同士の入隅部分に斜めに取り付けられ、第２木軸材である梁３９と例えば４５°の角度をなして結合される。この場合、ボルト３１は、例えば引寄せ金物によって一端側の例えばナット３３が火打ち梁３７に支持される。火打ち梁３７の結合される梁３９には、羽根座金１５が固定される。羽根座金１５には、ボルト３１の他端側となる頭部２７が支持される。ボルト３１は、他端側において、羽根座金１５の連結板部１７に穿設されたボルト貫通穴１９に軸部２５が貫通する。ボルト３１の頭部２７は、座面対向面５７が、座面の湾曲凸面２１に当接して支持される。ボルト３１は、座面対向面５７が湾曲凸面２１に当接することで、座面対向面５７が湾曲凸面２１に沿って移動可能となる。すなわち、ボルト３１は、梁３９とのなす角度が可変自在となって羽根座金１５に支持されている。その結果、木軸自在結合金物１１は、上記した４５°など直角を含め直角以外の任意な角度で結合される木軸材３７，３９同士の結合を、抜け止め補強することができる。
この木軸自在結合金物１１を用いた抜け止め補強構造において、ボルト３１の他端側は、梁３９の羽根座金固定面４３に固定した羽根座金１５で支持される。このため、従来金物を用いた場合のように、梁３９に斜めの穴を空ける等、傾斜角度に合わせた凹部や貫通穴などの大きな加工を施す必要がない。
また、木軸自在結合金物１１は、ボルト固定面４１と羽根座金固定面４３との双方が作業者に対面する側の面となるので、容易な取り付けが可能となり作業性が向上する。
【０００８】
本発明の請求項２記載の木軸自在結合金物１１を用いた結合構造は、図６乃至図８の実施形態に示されるように、
第１木軸材と第２木軸材とが所定の角度を有して結合される軸組構造において、両木軸材同士の結合を抜け止め補強する木軸自在結合金物を用いた結合構造であって、
前記第１木軸材のボルト固定面４１と平行な軸線となる軸部２５の一端側に前記ボルト固定面４１に固定される取付板部７１を有し、前記軸部２５の他端側に雄ネジ部２９を有する羽子板ボルト６９と、前記雄ネジ部２９に螺着するナット３３とを備えるボルト部材６７と、
前記第１木軸材の前記ボルト固定面４１に連続する前記第２木軸材の羽根座金固定面４３に固定される羽根座金１５と、
を具備し、
前記羽根座金１５は、前記羽根座金固定面４３から異なる高さとなって形成される一対の嵩上げ片５３，５５と、一対の嵩上げ片５３，５５の嵩上げ方向先端同士を一体に接続し前記羽根座金固定面４３に対して斜めとなる連結板部１７と、連結板部１７に穿設され前記軸部２５が貫通するボルト貫通穴１９と、連結板部１７の裏面に形成され、一対の嵩上げ片５３，５５間の空間部５１側に膨らむ湾曲面よりなり、ボルト貫通穴１９を貫通した前記ボルト部材６７の他端側の前記ナット３３の座面対向面が当接する座面となる湾曲凸面２１と、を一体的に具備し、
前記ボルト部材６７の軸部２５を前記ボルト貫通穴１９に挿入させるとともに、前記第１木軸材と第２木軸材との結合角度に合わせて、前記ボルト部材６７のナット３３の座面対向面を前記羽根座金固定面４３に対して傾斜させて、該ボルト部材６７の軸線を前記ボルト固定面４１と平行に沿わせて、前記ナット３３の締め付けにて前記第１木軸材と第２木軸材との結合の補強を行うことを特徴とする木軸自在結合金物を用いた結合構造にある。
【０００９】
この木軸自在結合金物１１では、例えば第１木軸材が火打ち梁や斜め梁３７である場合、斜め梁３７は第２木軸材である梁３９と例えば４５°の角度をなして結合される。ボルト３１は、斜め梁３７と平行に延在して配置される。ボルト３１は、一端側が斜め梁３７に固定される。ボルト３１は、他端側が梁３９に固定された羽根座金１５の座面に支持される。羽根座金１５の座面は、高さの異なる一対の嵩上げ片によって梁３９に固定されることで、ボルト３１の頭部２７の座面対向面５７と平行に近づくように傾斜して配置が可能となる。
【００１０】
本発明では、木軸自在結合金物１１の前記湾曲凸面２１は、前記羽根座金固定面４３に平行で且つ前記軸部２５に直交する中心軸を中心とした曲率半径で湾曲するＲ面とされている。
【００１１】
この木軸自在結合金物１１では、座面に形成される湾曲凸面２１が、羽根座金固定面４３に平行で且つ軸部２５に直交する中心軸を中心としたＲ面で形成される。これにより、ボルト３１は、斜め梁３７が任意の角度で梁３９と結合される場合であっても、頭部２７を座面に対し、常に線状で接触させることができる。
【発明の効果】
【００１２】
本発明に係る請求項１又は２記載の木軸自在結合金物を用いた結合構造によれば、直角以外の角度で結合される梁同士などの木軸材同士であっても、斜めの穴を設けるなど必要なく、断面欠損を生じさせずに、容易な取り付けで、所望の角度の結合を補強できる。
【００１３】
本発明に係る請求項１又は２記載の木軸自在結合金物を用いた結合構造によれば、羽根座金の座面を羽根座金固定面に対して傾斜させて配置でき、座面をボルトの軸部に垂直に近づけて、頭部の座面対向面を座面に当接し易くできる。
【００１４】
本発明に係る請求項１又は２記載の木軸自在結合金物を用いた結合構造によれば、頭部の座面対向面を、座面に対して線接触させることができる。
本発明に係る請求項３記載の木軸自在結合金物の羽根座金によれば、上記結合構造に用いる羽根座金を提供することができる。
【図面の簡単な説明】
【００１５】
【図１】本発明の実施形態に係る木軸自在結合金物の分解斜視図である。
【図２】図１に示した木軸自在結合金物が用いられた斜め梁の結合部の平面図である。
【図３】羽根座金に対するボルトの可動範囲を表した平面図である。
【図４】図１に示した木軸自在結合金物が用いられた登り梁の結合部の側面図である。
【図５】図４に示した登り梁の結合部の平面図である。
【図６】ボルト部材に用いられる羽子板ボルトの斜視図である。
【図７】ボルト部材に羽子板ボルトが用いられた木軸自在結合金物によって補強された登り梁の結合部の側面図である。
【図８】図７を左方より見た正面図である。
【図９】（ａ）は従来の羽子板ボルトを用いた斜め梁の結合部の一部分を切り欠いた平面図、（ｂ）は従来の羽子板ボルトを用いた登り梁の結合部の一部分を切り欠いた側面図である。
【発明を実施するための形態】
【００１６】
以下、本発明に係る実施形態を図面を参照して説明する。
図１は本発明の実施形態に係る木軸自在結合金物の分解斜視図、図２は図１に示した木軸自在結合金物が用いられた火打ち梁の結合部の平面図である。
本実施形態に係る木軸自在結合金物１１は、木造建物の軸組構造において、梁同士や梁と桁、梁と柱、土台同士等の結合部における補強に用いて好適となる。木軸自在結合金物１１は、ボルト部材１３と、羽根座金１５と、嵩上げ片と、連結板部１７と、ボルト貫通穴１９と、湾曲凸面２１と、を主要な構成として有する。また、本実施形態において、木軸自在結合金物１１は、上記の構成に加え、引き寄せ金物２３を有する。
【００１７】
ボルト部材１３は、軸部２５の端に頭部２７を有し頭部２７の反対側に雄ネジ部２９を有するボルト３１と、雄ネジ部２９に螺合するナット３３とを有する。これに加え、ボルト部材１３は、ワッシャ３５を備えてもよい。ボルト部材１３は、長尺の第１木軸材に一端側の頭部２７またはナット３３の何れか一方が支持される。本実施形態において、第１木軸材は、直角に接合される梁同士の入隅部分に設けられる火打ち梁３７などの斜め梁となる。ボルト部材１３の一端側は、ナット３３となる。
【００１８】
羽根座金１５は、第１木軸材に所定の角度を有して結合される長尺の第２木軸材に固定される。本実施形態において、第２木軸材は、梁３９となる。ボルト部材１３の他端側は、ボルト３１の頭部２７となる。つまり、ボルト部材１３は、ボルト３１の頭部２７が、羽根座金１５を介して梁３９に支持される。
【００１９】
嵩上げ片は、羽根座金１５に一対のものが形成される。火打ち梁３７のボルト部材１３が支持されたボルト固定面４１に連続する梁３９の羽根座金固定面４３に固定される。それぞれの嵩上げ片は、羽根座金固定面４３に固定されるベース部４５を有する。ベース部４５は、羽根座金１５を羽根座金固定面４３に固定するための複数のビス穴４７を備える。羽根座金１５は、ベース部４５がビス４９によって羽根座金固定面４３に固定される。羽根座金１５は、羽根座金固定面４３に固定されることで、一対の嵩上げ片と、羽根座金固定面４３と、連結板部１７と、によって包囲される空間部５１が形成される。この空間部５１には、連結板部１７を軸部２５が貫通したボルト３１の頭部２７が配置される。
【００２０】
木軸自在結合金物１１は、一対の嵩上げ片が、羽根座金固定面４３から異なる高さで形成されている。すなわち、嵩上げ片は、羽根座金固定面４３からの高さが低い嵩上げ片５３と、羽根座金固定面４３からの高さが高い嵩上げ片５５と、からなる。図２に示すように、低い嵩上げ片５３は、ベース部４５に対して略垂直に折り曲げられている。高い嵩上げ片５５は、ベース部４５に対して傾斜、例えば１２０°程度に傾斜して折り曲げられている。
【００２１】
連結板部１７は、羽根座金１５に形成され一対の嵩上げ片５３，５５の嵩上げ方向先端同士を接続する。連結板部１７は、高さの異なる一対の嵩上げ片５３，５５の各先端を接続することで、羽根座金固定面４３に対して傾斜している。この傾斜によって、後述のボルト貫通穴１９が小径であっても、ボルト部材１３の火打ち梁３７に沿う方向に大きな振れ角度θ（図３参照）で振ることが可能となっている。
【００２２】
ボルト貫通穴１９は、羽根座金１５の連結板部１７に穿設される。ボルト貫通穴１９は、ボルト３１の軸部２５の外径よりも若干大きな内径を有する。これにより、ボルト貫通穴１９は、空間部５１に配置されるボルト３１の頭部２７を抜け止めして、軸部２５を連結板部１７に貫通させる。
【００２３】
湾曲凸面２１は、羽根座金１５の連結板部１７における空間部５１側に形成される。湾曲凸面２１は、ボルト貫通穴１９を貫通したボルト３１の頭部２７が当接する座面となる。
【００２４】
本実施形態において、木軸自在結合金物１１は、湾曲凸面２１が、羽根座金固定面４３に平行で且つボルト３１の軸部２５に直交する中心軸を中心とした曲率半径で湾曲するＲ面、すなわち、一対の嵩上げ片５３，５５間で空間部５１側に膨らむような湾曲面で形成されている。従って、頭部２７は、座面対向面５７が湾曲凸面２１に線接触で当接することになる。これにより、火打ち梁３７と梁３９との結合角度に合わせて、ボルト３１を振れ角度θの範囲で自在に振ることが可能となる。なお、湾曲凸面２１としては、例えばボルト３１の呼び径をＭ１２とした場合、そのＲ面である曲率半径は３０〜４０ｍｍとされる。
【００２５】
引き寄せ金物２３は、座板５９と、ボルト挿通筒部６１とからなる。座板５９は、短冊板状に形成され、複数のビス穴４７を有する。ボルト挿通筒部６１は、軸線が座板５９と平行となる向きで座板５９に固定される。本実施形態のボルト挿通筒部６１は、軸線直交方向の断面形状が略Ｕ字状に形成される。引き寄せ金物２３は、火打ち梁３７のボルト固定面４１に、座板５９がビス４９によって固定される。ボルト挿通筒部６１に固定された引き寄せ金物２３のボルト３１の雄ネジ部側が挿通される。引き寄せ金物２３には、ボルト挿通筒部６１を貫通した雄ネジ部２９にナット３３が螺合される。このナット３３が締め付けられることで、引き寄せ金物２３に対して、ボルト３１の頭部２７を引き寄せる力を生じさせる。これにより、火打ち梁３７と梁３９との結合部に、ガタを生じさせず引き寄せる方向の力を付与し、結合の補強を可能としている。
【００２６】
次に、上記した構成の作用を説明する。
図３は羽根座金に対するボルトの可動範囲を表した平面図である。
本実施形態に係る木軸自在結合金物１１では、斜めの木軸材（斜め梁や火打ち梁）３７が結合される相手側の木軸材（梁）３９の断面欠損が生じない。
【００２７】
すなわち、第１木軸材が火打ち梁３７である場合、火打ち梁３７は入隅に斜めに取り付けられ、第２木軸材である梁３９と入隅側が例えば４５°の角度をなして結合される。この場合、ボルト３１は、例えば引き寄せ金物２３によって一端側の例えばナット３３が火打ち梁３７に支持される。
【００２８】
一方、火打ち梁３７の結合される梁３９には、羽根座金１５が固定される。羽根座金１５には、ボルト３１の他端側となる頭部２７が支持される。ボルト３１は、他端側において、羽根座金１５の連結板部１７に穿設されたボルト貫通穴１９に軸部２５が貫通する。ボルト３１の頭部２７は、座面対向面５７が、座面である湾曲凸面２１に当接して支持される。ボルト３１は、座面対向面５７が湾曲凸面２１に当接することで、図３に示すように、座面対向面５７が湾曲凸面２１に沿って移動可能となる。すなわち、ボルト３１は、梁３９とのなす角度が可変自在となって羽根座金１５に支持されている。その結果、木軸自在結合金物１１は、直角を含め直角以外の任意な角度で結合される木軸材３７，３９同士の結合を、抜け止め補強することができる。
【００２９】
この木軸自在結合金物１１を用いた抜け止め補強構造において、ボルト３１の他端側は、梁３９の羽根座金固定面４３に固定した羽根座金１５で支持される。このため、従来金物を用いた場合のように、梁３９に斜めの穴を設ける等、斜め梁の傾斜角度に合わせた凹部や貫通穴などの煩雑で大きな加工を施す必要がない。
【００３０】
また、木軸自在結合金物１１は、ボルト固定面４１と羽根座金固定面４３との双方が作業者に対面する側の面となるので、作業性が向上し、容易な取り付けが可能となる。
【００３１】
また、この木軸自在結合金物１１では、例えば第１木軸材が斜め梁３７である場合、斜め梁３７は第２木軸材である梁３９と例えば４５°の角度をなして結合される。ボルト３１は、斜め梁３７と平行に延在して配置される。ボルト３１は、一端側が斜め梁３７に固定される。ボルト３１は、他端側が梁３９に固定された羽根座金１５の座面に支持される。羽根座金１５の座面は、高さの異なる一対の嵩上げ片５３，５５によって梁３９に固定されることで、ボルト３１の頭部２７の座面対向面５７と平行に近づくように傾斜して配置が可能となる。その結果、羽根座金１５の座面を羽根座金固定面４３に対して傾斜させて配置でき、座面をボルト３１の軸部２５に垂直に近づけて、頭部２７の座面対向面５７を座面に当接し易くできる。
【００３２】
さらに、この木軸自在結合金物１１では、座面に形成される湾曲凸面２１が、羽根座金固定面４３に平行で且つ軸部２５に直交する中心軸を中心としたＲ面で形成される。これにより、ボルト３１は、斜め梁３７が任意の角度で梁３９と結合される場合であっても、頭部２７を座面に対し、常に線状で接触させることができる。その結果、頭部２７の座面対向面５７を、座面に対して線接触させることができる。
【００３３】
このように、本実施形態に係る木軸自在結合金物１１によれば、結合角度が所定の範囲で許容可能となり、自由度が増す。結合角度がフレキシブルとなることで、従来予め加工していた穴、凹部などを正確に設ける必要がなく、施工が容易となる。また、前加工が不要となって、加工コストが低減できる。また、施工中の角度変更にも容易に対応が可能となる。そして、所謂、引き寄せ金物２３や羽子板ボルトなど、木造建築に使用される種々の金物に対応できる。
【００３４】
次に、第１木軸材が登り梁である第２実施形態を説明する。
図４は図１に示した木軸自在結合金物が用いられた登り梁の結合部の側面図、図５は図４に示した登り梁の結合部の平面図である。
本実施形態に係る木軸自在結合金物１１は、第１木軸材である登り梁６３と、第２木軸材である梁３９との結合部の補強に用いられる。その他の構成は、第１実施形態と同様である。登り梁６３は、梁３９に対し、所定の角度で上向きに傾斜して、端面が梁３９の側面に固定される。この場合、羽根座金１５は、梁３９の側面に、低い嵩上げ片５３が上側、高い嵩上げ片５５が下側となる向きで、羽根座金固定面４３に固定される。
【００３５】
一方、引き寄せ金物２３は、羽根座金固定面４３に連続する登り梁６３の側面である羽根座金固定面４３に固定される。引き寄せ金物２３に支持されるボルト３１は、登り梁６３に沿う方向となる。
【００３６】
これにより、木軸自在結合金物１１は、頭部２７が羽根座金１５の湾曲凸面２１に当接したボルト３１の引き寄せ金物側のナット３３を閉めることで、直角以外の任意な角度で結合される梁３９と登り梁６３との結合部を、抜け止め補強することができる。
【００３７】
次に、引き寄せ金物に代えて羽子板ボルトが用いられた第３実施形態に係る木軸自在結合金物を説明する。
図６はボルト部材に用いられる羽子板ボルトの斜視図、図７はボルト部材に羽子板ボルトが用いられた木軸自在結合金物によって補強された登り梁の結合部の側面図、図８は図７を左方より見た正面図である。
本実施形態に係る木軸自在結合金物６５は、第１木軸材である登り梁６３と、第２木軸材である梁３９との結合部の補強に用いられる。また、木軸自在結合金物６５は、ボルト部材６７が、羽子板ボルト６９と、ナット３３と、からなる。その他の構成は、第２実施形態と同様である。
【００３８】
羽子板ボルト６９は、軸部２５の雄ネジ部２９と反対側に、取付板部７１が固定される。取付板部７１には、ボルト挿通穴７３が穿設される。取付板部７１は、屈曲突出部７５を介して、軸部２５を固定する。屈曲突出部７５は、軸部２５を取付板部７１から浮上させて固定する。つまり、軸部２５は、ボルト固定面４１から、屈曲突出部７５の高さ分、浮上して固定されるようになっている。
【００３９】
上記同様に、登り梁６３は、梁３９に対し、所定の角度で上向きに傾斜して、端面が梁３９の側面に固定される。この場合、羽根座金１５は、梁３９の側面に固定される。羽根座金１５は、低い嵩上げ片５３が上側、高い嵩上げ片５５が下側となる向きで側面である羽根座金固定面４３に固定される。
【００４０】
一方、羽子板ボルト６９は、羽根座金固定面４３に連続する登り梁６３の側面であるボルト固定面４１に固定される。羽子板ボルト６９は、取付板部７１を介してボルト固定面４１に固定される。羽子板ボルト６９は、ボルト挿通穴７３に挿通された貫通固定ボルト７７が、登り梁６３を水平に貫通する。貫通固定ボルト７７は、貫通先端に固定ナット（図示せず）が螺合されることで、取付板部７１を登り梁６３に固定する。羽子板ボルト６９は、軸部２５が、登り梁６３に沿う方向で固定される。
【００４１】
これにより、木軸自在結合金物６５は、ナット３３が羽根座金１５の湾曲凸面２１に当接した羽子板ボルト６９の取付板部７１が登り梁６３に固定されることで、直角以外の任意な角度で結合される梁３９と登り梁６３との結合部を、抜け止め補強することができる。
【００４２】
なお、上記した実施形態では、湾曲凸面２１が嵩上げ片５３，５５間でＲ面である場合を例に説明したが、この湾曲凸面２１は、球面の一部分であってもよい。ボルト部材１３のボルト３１の頭部２７は、湾曲凸面２１が球面であると、嵩上げ片５３，５５間でボルト貫通穴１９を中心にいずれの方向にも傾くことができ、座面対向面５７が球面に対して点接触となる。これにより、ボルト部材１３は、ボルト貫通穴１９を中心に放射方向の振れが可能となり、より柔軟な角度変更に対応が可能となる。
【００４３】
従って、本実施形態に係る木軸自在結合金物１１，６５によれば、直角以外の角度で結合される木軸材同士であっても、ボルトのための穴部等を形成する必要が無く、木軸材に断面欠損を生じさせずに、作業性が良好であり容易な取り付けで、所望の角度の木軸材同士の結合を補強できる。
【符号の説明】
【００４４】
１１，６５…木軸自在結合金物
１３，６７…ボルト部材
１５…羽根座金
１７…連結板部
１９…ボルト貫通穴
２１…湾曲凸面
２５…軸部
２７…頭部
２９…雄ネジ部
３１…ボルト
３３…ナット
３７…第１木軸材（斜め梁，火打ち梁）
３９…第２木軸材（梁）
４１…ボルト固定面
４３…羽根座金固定面
５３…嵩上げ片（低い嵩上げ片）
５５…嵩上げ片（高い嵩上げ片）
６３…第１木軸材（登り梁）
６９…羽子板ボルト
【図１】
0005922738.tif 000002
【図２】
0005922738.tif 000003
【図３】
0005922738.tif 000004
【図４】
0005922738.tif 000005
【図５】
0005922738.tif 000006
【図６】
0005922738.tif 000007
【図７】
0005922738.tif 000008
【図８】
0005922738.tif 000009
【図９】
0005922738.tif 000010